(57)【特許請求の範囲】
【請求項１】
容器と、容器の口筒部に装着したトリガー式液体噴出器と、トリガー式液体噴出器に着脱自在に装着されるノズルフードとからなるトリガー式液体噴出容器において、
トリガー式液体噴出器は、噴出器基体と、噴出器基体の先端に取着されるノズル部材とを具え、
噴出器基体は、シリンダーとピストンを具えたポンプと、ピストンを作動させるトリガーとを具え、
トリガーの後側面には、係止凹部が設けられ、
ノズルフードは、ノズル部材の側周壁外周に係合する係合壁と、ノズル部材の前壁に係合し、中央に開口が穿設された被せ板と、被せ板の外縁から先端部が拡径するフード壁とからなり、
フード壁上方には、先端部から被せ板側端部に向けて切欠部が形成され、
切欠部の被せ板側端部には、トリガーの両側面とそれぞれ係合可能な係合面部が形成され、
係合壁の外周上側面および被せ板の上端部には、ストッパー部が設けられ、
ストッパー部は、係合壁の前側端部中央に配設されるトリガー係止片と、トリガー係止片を挟むように両側に配設される係止側板と、被せ板の前側面外縁に突設されるトリガー係合突部とを具え、
ノズルフードをノズル部材から外してトリガー式液体噴出器の下部に収納する際に、トリガーの後側面がフード壁の切欠部を介してストッパー部のトリガー係合突部に係合するとともに、ストッパー部のトリガー係止片をトリガーに設けられた係止凹部に係合させることを特徴とするトリガー式液体噴出容器。
【請求項２】
ストッパー部として、トリガー係止片の前側面上端には、トリガーの係止凹部の下部に係合する係止突部が設けられ、
係止側板は、後側端が噴出器基体のシリンダーの前側面に係合するように形成されていることを特徴とする請求項１記載のトリガー式液体噴出容器。
【請求項３】
ストッパー部として、トリガー係合突部の前側端は、傾斜面となし、トリガーの後側面に係合するように形成されていることを特徴とする請求項１または２記載のトリガー式液体噴出容器。
【発明の詳細な説明】
【技術分野】
【０００１】
本発明は、トリガー式液体噴出容器、とくにトリガー式液体噴出器のノズル部材にノズルフードを取り付けたトリガー式液体噴出容器に関するものである。
【背景技術】
【０００２】
洗剤や薬品などの内容液のトリガー式液体噴出容器において、内容液が手指などに付くことを防止するため、液体噴出器の噴出ノズルに筒状のフードを装着したトリガー式液体噴出容器は、従来より知られている（特許文献１、特許文献２参照）。
【特許文献１】特開２００５−２８８３５９
【特許文献２】特開２００５−２８８２６３
【発明の開示】
【発明が解決しようとする課題】
【０００３】
しかしながら、上記特許文献１記載のトリガー式液体噴出容器では、運搬時または収納時に、噴出ノズルに装着した筒状のフードが邪魔になるという問題があった。
筒状のフードを外したときには、容器と別体となるだけで場所をとるという問題があった。
【０００４】
また、特許文献２のトリガー式液体噴出器では、取外したフードを、支持部材を用いて容器に取外し可能として添着するようにし、前記問題点を解決するようにしているが、しかし、フードの形状が制限され、支持部材を必要とするので、コストが高くなるという問題があった。
【０００５】
本発明は、上記問題を解決することを課題として、ノズルフードを外した後、液体噴出器に装着して収納することによって容器収納時に場所を取らず、さらに、トリガーの可動を規制するストッパー機構となるようにしたトリガー式液体噴出容器を提供することを目的とする。
【課題を解決するための手段】
【０００６】
本発明は、上記の課題を解決するため、トリガー式液体噴出容器として、容器と、容器の口筒部に装着したトリガー式液体噴出器と、トリガー式液体噴出器に着脱自在に装着されるノズルフードとからなるトリガー式液体噴出容器において、トリガー式液体噴出器は、噴出器基体と、噴出器基体の先端に取着されるノズル部材とを具え、噴出器基体は、シリンダーとピストンを具えたポンプと、ピストンを作動させるトリガーとを具え、トリガーの後側面には、係止凹部が設けられ、ノズルフードは、ノズル部材の側周壁外周に係合する係合壁と、ノズル部材の前壁に係合し、中央に開口が穿設された被せ板と、被せ板の外縁から先端部が拡径するフード壁とからなり、フード壁上方には、先端部から被せ板側端部に向けて切欠部が形成され、切欠部の被せ板側端部には、トリガーの両側面とそれぞれ係合可能な係合面部が形成され、係合壁の外周上側面および被せ板の上端部には、ストッパー部が設けられ、ストッパー部は、係合壁の前側端部中央に配設されるトリガー係止片と、トリガー係止片を挟むように両側に配設される係止側板と、被せ板の前側面外縁に突設されるトリガー係合突部とを具え、ノズルフードをノズル部材から外してトリガー式液体噴出器の下部に収納する際に、トリガーの後側面がフード壁の切欠部を介してストッパー部のトリガー係合突部に係合するとともに、ストッパー部のトリガー係止片をトリガーに設けられた係止凹部に係合させることを特徴とする構成を採用する。
【０００７】
ストッパー部の実施例として、トリガー係止片の前側面上端には、トリガーの係止凹部の下部に係合する係止突部が設けられ、係止側板は、後側端が噴出器基体のシリンダーの前側面に係合するように形成されていることを特徴とする構成を採用し、さらに付加して、トリガー係合突部の前側端は、傾斜面となし、トリガーの後側面に係合するように形成されていることを特徴とする構成を採用する。
【発明の効果】
【０００８】
容器と、容器の口筒部に装着したトリガー式液体噴出器と、トリガー式液体噴出器に着脱自在に装着されるノズルフードとからなるトリガー式液体噴出容器において、ノズルフードは、ノズル部材の側壁外周に内周が係合する係合壁と、中央に開口が穿設された被せ板と、先端部が拡径するフード壁とからなり、フード壁上方には、先端部から被せ板側端部に向けて切欠部が形成され、係合壁の外周上側面および被せ板の前側面上端部には、ストッパー部が設けられ、トリガーの後側面に係止凹部が設けられているので、ノズルフードをトリガー式液体噴出器の下部に装着して収納することによって、容器収納時にコンパクトにでき、場所をとることがない。
また、ノズルフードのストッパー部を構成するトリガー係止片が、トリガーの係止凹部に係止されて、ノズルフードがトリガーの背面に装着され、トリガーの妄動を防止することができる。
【発明を実施するための最良の形態】
【０００９】
次に、本発明のトリガー式液体噴出容器について、実施例をあげて説明する。
図１、２において、Ａは容器、Ｂは容器Ａに装着されるトリガー式液体噴出器、Ｃはトリガー式液体噴出器Ｂに着脱自在に装着されるノズルフードである。
【００１０】
トリガー式液体噴出器Ｂは、噴出器基体Ｂ１と、噴出器基体Ｂ１の先端に取着されるノズル部材Ｂ２と、噴出器基体Ｂ１を容器Ａの口筒部に装着する取付キャップＢ３とからなっている。
トリガー式液体噴出器Ｂは、容器の内容液を、ノズル部材Ｂ２の噴出口より霧、泡の状態、或いは液体のままで噴出させるものである。
【００１１】
噴出器基体Ｂ１は、シリンダー１とピストン２を具えたポンプと、ピストン２を作動させるトリガー３と液吐出筒とを具えた従来より周知の構造を有し、トリガー３を引くことによってピストン２を押圧して、ノズル部材Ｂ２から液を噴出させる。
トリガー３の引き込みを解くと、噴出器基体Ｂ１内に設けたばねによってピストン２、およびトリガー３を元の状態に戻すようにしている。
トリガー３の後側の所定の位置には、係止凹部４が設けられている。
【００１２】
ノズル部材Ｂ２は、噴出口５を穿孔した前壁６と側周壁７とを具え、側周壁７を回転させることにより、前壁６に設けた噴出口５から液を噴出する開状態と閉状態を切り替える従来より周知の構成を有している。
【００１３】
ノズルフードＣは、図１、３に示すように、ノズル部材Ｂ２の側周壁７外周に、内周が係合する係合壁１０と、係合壁１０の端部に形成され、内面がノズル部材Ｂ２の前壁６外面に係合するとともに、中央に開口１１が穿設された被せ板１２と、被せ板１２の外縁に連設され、先端部１３ａが拡径するフード壁１３とからなっている。
フード壁１３の上方には、切欠部１４が形成されている。
【００１４】
係合壁１０の外周上側面および被せ板１２の前側面上端部には、ストッパー部１５が設けられている。
【００１５】
ストッパー部１５は、係合壁１２の前端部中央に配設されたトリガー係止片１６と、トリガー係止片１６を挟むように両側に配設される係止側板１７と、被せ板１２の前側面外縁に突設されるトリガー係合突部１８とを具えている。
【００１６】
トリガー係止片１６の前側面上端には、噴出器基体Ｂ１のトリガー３の係止凹部４の下部に係合する係止突部１９が設けられている。
【００１７】
係止側板１７は、後側端１７ａが噴出器基体Ｂ１のシリンダー１の前側面１ａに係合するように形成されている。
【００１８】
トリガー係合突部１８の前側端１８ａは、傾斜面として、噴出器基体Ｂ１のトリガー３の後側面に係合するように形成されている。
【００１９】
フード壁に形成された切欠部１４の被せ板１２側端部には、トリガー３の両側面とそれぞれ係合する係合面部２０が形成されている。
【００２０】
次に、本発明のトリガー式液体噴出容器の作用効果について説明する。
内容液を噴出する際には、まず、ノズル部材Ｂ２を回転させ、開状態にした後、図１に示すように、ノズル部材Ｂ２にノズルフードＣを装着する。
【００２１】
次に、所望する吹き付け面にノズル部材Ｂ２を向け、噴出器基体Ｂ１のトリガー３を引き、ノズル部材Ｂ２の噴出口５より内容液を噴出させる。
【００２２】
ノズル部材Ｂ２の噴出口５より噴出される液は、ノズルフードＣのフード壁１３により、噴出範囲が規制される。
また、噴出力が弱くなって、噴出口５より垂れ落ちた液は、フード壁１３の下側の壁面に落ち、トリガー３に掛けた指に触れることを防止することができる。
また、ノズルフードＣを取外して洗うこともできるので、トリガー式噴出器を清潔に保つとができる。
【００２３】
トリガー式液体噴出容器の収納時には、まず、ノズル部材Ｂ２からノズルフードＣを外した後、ノズル部材Ｂ２を回転させ、閉状態にする。
【００２４】
次に、図４に示すように、噴出器基体Ｂ１のトリガー３の先端部がノズルフードＣの切欠部１４を介してフード壁１３の内方に位置する状態とし、噴出器基体Ｂ１のトリガー３側にノズルフードＣを装着する。
【００２５】
その際、ノズルフードＣのストッパー部１５のトリガー係合突部１８の前側端１８ａとトリガー３の後側面、係止側板１７の後側端１７ａとシリンダー１の前側面１ａ、およびトリガー係止片１６とトリガー３の係止凹部４とが係合し、また、切欠部１４の両方の係合面部２０がトリガー３の両側面と係合することによって、ノズルフードＣが前後左右に揺動しないように噴出器基体Ｂのトリガー３とシリンダー１との間に装着される。
【００２６】
噴出器基体Ｂ１のトリガー３の後側面と、シリンダー１の前側面１ａとの間にノズルフードＣのストッパー部１５が係合し、ストッパーとなるので、トリガー３が押圧され、トリガー３が動くことを防止することができる。
【００２７】
また、ストッパー部１５のトリガー係止片１６の係止突部１９が噴出器基体Ｂ１のトリガー３の係止凹部４に引っ掛かり、係止側板１７の後側端１７ａがシリンダー１の前側面１ａと係合することによって、ノズルフードＣが噴出器基体Ｂ１から下に外れることを防止している。
【００２８】
容器の流通時には、噴出器基体Ｂ１のトリガー３の先端部がノズルフードＣのフード壁１３の内方に位置する状態となり、噴出器基体Ｂ１のトリガー３側にノズルフードＣが装着され、容器としてコンパクトになるので、ノズルフードＣが流通時に妨げにならない。
【産業上の利用可能性】
【００２９】
トリガー式液体噴出器のノズル部材にノズルフードを装着した容器において、ノズルフードにストッパー機能をもたせてトリガー式液体噴出器に装着することによって、トリガーの妄動を防止するとともに、使用時には液が手指などにつくことを防止し、収納時にはコンパクトに収納することができるので、種々な内容液の噴出器として広く利用できる。
【図面の簡単な説明】
【００３０】
【図１】本願発明のトリガー式液体噴出容器の一部断面側面図である。
【図２】液体噴出容器の正面図である。
【図３】ノズルフードの説明図で、（ａ）は上面図、（ｂ）は断面側面図、（ｃ）は正面図である。
【図４】ノズルフードの収納時の説明図で、ノズルフードを断面図としたトリガー式液体噴出容器の側面図である。
【符号の説明】
【００３１】
Ａ          容器
Ｂ          トリガー式液体噴出器
Ｂ１        噴出器基体
Ｂ２        ノズル部材
Ｂ３        取付キャップ
Ｃ          ノズルフード
１          シリンダー
１ａ        前側面
２          ピストン
３          トリガー
４          係止凹部
５          噴出口
６          前壁
７          側周壁
１０        係合壁
１１        開口
１２        被せ板
１３        フード壁
１３ａ      先端部
１４        切欠部
１５        ストッパー部
１６        トリガー係止片
１７        係止側板
１７ａ      後側端
１８        トリガー係合突部
１８ａ      前側端
１９        係止突部
２０        係合面部
【図１】
0005214304.tif 000002
【図２】
0005214304.tif 000003
【図３】
0005214304.tif 000004
【図４】
0005214304.tif 000005